(57)【要約】【課題】  構成部品を増やすことなく、電子撮像機器内の鏡筒駆動系を外圧から保護する。【解決手段】  駆動モータにより鏡筒の駆動を行う撮像光学系を備えた電子撮像機器において、ストロボ窓部とそれを支持するストロボケースで、駆動モータのストロボ窓に対向する面、もしくは複数面を覆うことを特徴とし、また、ストロボケースにてストロボ回路のトリガー電圧を発生させるトリガーコイルを受け、前記トリガーコイルを覆う絶縁キャップ部材とで、ストロボリード線を押さえる構造を特徴とし、さらにストロボケースで操作系スイッチを実装した基板を保持することを特徴とする。【選択図】        図４
2007033511.tif 000002
【特許請求の範囲】
【請求項１】
駆動モータにより鏡筒の駆動を行う撮像光学系を備えた電子撮像機器において、ストロボ窓部とそれを支持するストロボケースで、駆動モータのストロボ窓に対向する面を覆うことを特徴とする電子撮像機器。
【請求項２】
前記駆動モータの複数面をストロボケースで覆うことを特徴とする請求項１記載の電子撮像機器。
【請求項３】
前記ストロボ発光器のストロボケースにて、ストロボ回路のトリガー電圧を発生させるトリガーコイルを受け、前記トリガーコイルを覆う絶縁キャップ部材とで、ストロボリード線を押さえる構造を備えることを特徴とする請求項１または２記載の電子撮像機器。
【請求項４】
請求項１から３のいずれか記載の電子撮像機器において、ストロボケースで操作系スイッチを実装した基板を保持することを特徴とする電子撮像機器。
【発明の詳細な説明】
【技術分野】
【０００１】
本発明は電子撮像機器に関し、特に電子撮像機器の構造に関する。
【背景技術】
【０００２】
近年、デジタルスチルカメラ等の電子撮像機器でも、機能や使い勝手の他に薄さや小ささ高級感等の意匠も重要視され、内部各構成要素の小型化や各内部構成要素のレイアウトに関しても各社それぞれ工夫を凝らしている。特許文献１には、カメラにおけるズームモータの配設構造として、ストロボ発光器とフィルム巻取り室の上壁部との間にズームモータを配設する技術が示されている。昨今のデジタルスチルカメラのレイアウトでもズームモータの前にストロボ発光部を配設した構成のものも有る。
【特許文献１】特開２０００−６６２８４号公報
【発明の開示】
【発明が解決しようとする課題】
【０００３】
上記デジタルスチルカメラの構成にて、ストロボ窓部に静圧を加えられた状態で、ストロボ発光器自体に剛性が無く静圧を受けとめられない場合、間接的にズームモータにストレスを与え、ズーミング動作時の異音、場合によってはズーミング動作の不良となってしまう課題が発生する。またカメラ外形の小型化、高密度化に伴い、モータの駆動音が筐体内を伝いマイクに集音されてしまう。
【０００４】
ストロボに関しても、発光管や反射傘等を有した発光部と、この発光部近傍に配置される発光回路を形成する電気部品を実装した電気回路部から構成されており、この電気回路部には発光管を発光させるために数ｋＶの高電圧をトリガーコイルの２次電極から発生させており、発光させる為には上記反射傘まで電気的に繋ぐ必要が有り、電気リークにより発光抜け等の不具合を防ぐ為に、発光部近傍にトリガーコイルを配置することが設計上望ましいが、トリガーコイル自体の外形が大きくストロボ発光器とズーム機構の間に、特にもズームモータのボディへの電気リークを考慮し配置する事がスペース上難しい。
【０００５】
同じく上記ストロボ発光部とズームモータの配設構造において、押し釦をストロボ発光部の真後ろに配置した場合、押し釦の押圧方向の力を受ける部材の剛性が無い状態だと、部材が撓みズームモータにストレスを与えたり、クリック感の悪いものが発生する原因にもなる。
【０００６】
本発明は、以上の点に着目して成されたもので、構成部品を増やすことなく、電子撮像機器内の鏡筒駆動系を外圧から保護する電子撮像機器を提供することを目的とする。
【課題を解決するための手段】
【０００７】
駆動モータにより鏡筒の駆動を行う撮像光学系を備えた電子撮像機器において、ストロボ窓部とそれを支持するストロボケースで、駆動モータのストロボ窓に対向する面、もしくは複数面を覆うことを特徴とする。
【０００８】
また、ストロボケースにてストロボ回路のトリガー電圧を発生させるトリガーコイルを受け、前記トリガーコイルを覆う絶縁キャップ部材とで、ストロボリード線を押さえる構造を特徴とする。
【０００９】
さらにストロボケースで操作系スイッチを実装した基板を保持することを特徴とする。
【発明の効果】
【００１０】
本発明によれば、ストロボ窓部に静圧を加えられた場合や押し釦による押圧が掛けられた状態でも、ズームモータにストレスを与えることは無く、且つズームモータを複数面覆うことにより、モータ駆動音を遮音し構成部品を増やすこと無く、静音化することができる。また絶縁部材でもあるトリガーキャップを追加することにより、トリガーコイルをストロボ発光部近傍に配置でき、電気リークをより確実に防ぐことが可能となり、同時に操作釦のクリック感の良いデジタルスチルカメラを提供する事が可能となる。
【発明を実施するための最良の形態】
【００１１】
以下に、本発明による撮像装置の実施の形態を添付の図面を参照して詳細に説明する。
【実施例】
【００１２】
図１から図３を参照にして、この発明の一実施例を説明する。
【００１３】
図１は、本発明のデジタルスチルカメラの概略正面斜視図を示している。図２は、本発明の装置の分解斜視図を示し、取り付け構成を示している。図３は、ストロボ発光器の分解斜視図を示している。図４は、ストロボ発光器周りの概略垂直断面図を示している。
【００１４】
図１において、１は、デジタルスチルカメラ本体であり、前面部には撮像光学系の撮像レンズが組み込まれ伸縮可能な鏡筒２が配置されこの中に配置されている光学系により被写体像が撮像素子に結像される。２の上にはファインダ窓３があり、装置の右上には撮影時に光量が足りない時等に必要に応じて発光するストロボ発光器４が設けられている。２の左側にはアルミニウム合金の前カバー５に沿って摺動可能な横スライド式バリア６が有り、撮像時以外は上記２、３、４を覆い保護する。
【００１５】
上面部には、撮像動作の開始を指示するレリーズボタン７、この操作により、被写体が撮像され、記録媒体（図示しない）に被写体像の画像デ−タが記録される。８は上記レリーズボタン７を保持し、外観部品を兼ねているトップベースを示している。９はアルミニウム合金の後カバーで、５と９の間に外装別部材の樹脂部品のサイドカバー１０が配置固定されている。
【００１６】
後面部には、液晶表示装置（図示しない）があり、撮像する被写体像の確認や、撮像された画像の再生表示に用いられる。他にも操作釦１１が有る。
【００１７】
図２から図４を用いて、本実施形態のデジタルスチルカメラの一部内部取り付け構成及び構成部材を以下に説明する。
【００１８】
図２は、本発明の撮像装置の外装部材・ストロボ発光器の分解斜視図であり、鏡筒２を伸縮させてのズーミング動作は、ズームモータ１２の回転駆動力をズーム歯車列１３に伝え、それを鏡筒２のカム環（不図示）を用いることにより得ている。ストロボ発光器は、上記ズームモータ１２とズーム歯車列１３の一部を上部から覆うように組込まれ本体へと固定され、背面部に操作ＳＷを実装したフレキシブルプリント基板１４が固定される。その後、アルミニウム合金の前カバー５、後カバー９を本体組みつける。後カバー９は、あらかじめ操作釦１１が接着固定されている。
【００１９】
図３は、上記ストロボ発光器の分解斜視図を示している。
【００２０】
ストロボケース１５の底面側にトリガーコイル１６が配置され、トリガーキャップ１７により固定、絶縁が行われる。トリガーコイル１６にはトリガーケーブル１７が有り、ストロボケースに設けられたガイドリブ１５ａとトリガーキャップ１７に規制されることにより、ストロボケース外へ導出される。
【００２１】
図４は、上記ストロボ発光器周りの概略垂直断面図を示している。
【００２２】
ストロボケース１５は、ズームモータ１２とズーム歯車列１３との隙間を前カバー５、後カバー９との隙間よりも大きく取ることにより、ストロボ窓部に静圧や押し釦による押圧をズームモータ１２やズーム歯車列１３へ伝えない構造となっている。またストロボケース１５と前カバー内側の隙間を詰めることにより、フレキシブルプリント基板１４に実装した操作ＳＷ１４ａの押圧方向の受け部材でもあるストロボケース１５の撓み量を減らすことが可能となり、ユーザーからの押し釦への押圧をロス無く操作ＳＷ１４ａへ伝えることが可能となり、クリック感の向上が図れる。
【図面の簡単な説明】
【００２３】
【図１】本発明のデジタルスチルカメラの概略正面斜視図である。
【図２】本発明のデジタルスチルカメラの分解斜視図である。
【図３】本発明のストロボ発光器の分解斜視図である。
【図４】本発明のストロボ発光器周りの概略垂直断面図である。
【符号の説明】
【００２４】
１      デジタルスチルカメラ本体
２      撮像光学系の撮像レンズが組み込まれ伸縮可能な鏡筒
３      ファインダ窓
４      ストロボ発光器
５      前カバー
６      横スライド式バリア
７      レリーズボタン
８      トップベース
９      後カバー
１０    サイドカバー
１１    操作釦
１２    ズームモータ
１３    ズーム歯車列
１４    操作ＳＷを実装したフレキシブルプリント基板
１４ａ  操作ＳＷ
１５    ストロボケース
１５ａ  ストロボケースに設けられたガイドリブ
１６    トリガーコイル
１７    トリガーケーブル
【図１】
2007033511.tif 000003
【図２】
2007033511.tif 000004
【図３】
2007033511.tif 000005
【図４】
2007033511.tif 000006